【事件の表示】
　特許第２９９１７４８号「電動機の固定子鉄心」の請求項１、２に係る特許に対する特許異議の申立てについて、次のとおり決定する。
【結　論】
　訂正を認める。
　特許第２９９１７４８号の請求項１ないし２に係る特許を取り消す。
【理　由】
１．手続の経緯
　本件特許第２９９１７４８号は、平成２年７月２０日に特許出願され、平成１１年１０月１５日にその特許の設定登録がされた。その後、請求項１、２に係る発明の特許に対して、特許異議の申立てが株式会社東芝よりなされて、取消理由通知がなされ、その指定期間内である平成１２年１１月７日に訂正請求がなされた。
　
２．訂正の適否についての判断
ア．訂正の要旨
　（ｉ）訂正事項ａ
　請求項１において、「このＡ相巻線と電気角で９０度隔てた位置に短節巻を前記スロットの外側に直巻巻装した」を、「このＡ相巻線と電気角で９０度隔てた位置に短節巻のＢ相巻線を前記スロットの外側に直巻巻装した」と訂正する。
　（ｉｉ）訂正事項ｂ
　請求項２において、「前記直線部分を、その中心線の延長線が交叉する点が回転子孔の円中心よりも大きく近位置にくる方向に傾斜させることにより、」を、「前記直線部分を、その中心線の延長線が交叉する点が回転子孔の円中心該よりも大きく近位置にくる方向に傾斜させることにより、Ａ相巻線収納用スロットは歯部鉄心の内周側が拡大されＢ相巻線収納用スロットは外周側が拡大されて、」と訂正する。
　
イ．訂正の目的の適否、新規事項の有無及び拡張・変更の存否についての判断訂正
　(a)訂正事項ａ、ｂについて
　上記訂正事項ａ、ｂは、特許請求の範囲の減縮に該当し、新規事項の追加に該当せず、実質的に特許請求の範囲を拡張又は変更するものではない。
　
ウ．むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書き、第２項の規定に適合するので、当該訂正を認める。 
　
３．本件発明
　本件特許第２９９１７４８号の請求項１及び２に係る発明は、本件訂正明細書の特許請求の範囲の請求項１及び２に記載された以下のとおりのものである。
「【請求項１】毎極毎相のスロット数が２の固定子鉄心を、回転子孔の外周に略放射状に設けられた複数の歯を有し巻線を巻装する歯部鉄心と、磁路を形成する継鉄部鉄心に分割し、前記継鉄部鉄心はその一部が歯部鉄心のスロットの外周の開口部にはまりこみながら前記歯部鉄心の外周部に嵌合されてなる構成とし、前記歯部鉄心のスロットの内側に短節巻のＡ相巻線を直巻巻装し、このＡ相巻線と電気角で９０度隔てた位置に短節巻のＢ相巻線を前記スロットの外側に直巻巻装した固定子を有する内転型電動機において、各極のＡ相巻線が囲繞する３個の内両端の２個の歯はＳ字状または逆Ｓ字状に設け、このＳ字状または逆Ｓ字状の歯は中央の歯に対し略直角方向に向く部分を有し、この直角方向に向く部分の延長線は前記中央の歯の径方向中心点よりも内側でこの中央の歯と交叉するため、Ａ相巻線巻装用スロット全体に巻線を巻装してもＢ相巻線巻装用スロットのごく一部しか閉塞せず大部分は巻線スペースとして残すことができるように設定された電動機の固定子鉄心。
【請求項２】毎極毎相のスロット数が２の固定子鉄心を、回転子孔の外周に略放射線状に設けられた複数の歯を有し巻線を巻装する歯部鉄心と、磁路を形成する継鉄部鉄心に分割し、前記継鉄部鉄心はその一部が歯部鉄心のスロット開□部にはまりこみながら前記歯部鉄心の外周部に嵌合されてなる構成とし、前記歯部鉄心のスロットの内側に短節巻のＡ相巻線を直巻巻装し、このＡ相巻線と電気角で９０度隔てた位置に短節巻のＢ相巻線を前記スロットの外側に直巻巻装した固定子を有する内転型電動機において、各極のＡ相巻線が囲繞する３個の歯のうち両端の２個の歯はＳ字状または逆Ｓ字状に設け、このＳ字状または逆Ｓ字状の歯は中央の歯の内周方向への延長線に対して鋭角に交叉する直線部分を有し、前記直線部分を、その中心線の延長線が交叉する点が回転子孔の円中心よりも大きく近位置にくる方向に傾斜させることにより、Ａ相巻線収納用スロットは歯部鉄心の内周側が拡大されＢ相巻線収納用スロットは外周側が拡大されて、Ａ相巻線巻装用スロットに巻線を巻装してもＢ相巻線巻装用スロットの一部しか閉塞せず巻線可能スペースを残すことができるように設定した構成の電動機の固定子鉄心。」
４．引用刊行物記載の発明
　当審における取消理由通知において引用した、引用例１（特開平２−１２３９５０号公報）には、「誘導電動機の固定子」（発明の名称）が記載され、図面と共に、以下の記載がある。
　「図において、１は歯部鉄心であり、内周部に回転子（図示せず）を挿入する回転子穴２を有し、この回転子穴２の外周に放射状に、それぞれ偶数個の歯１Ａと１Ｂを設け、この歯１Ａ、１Ｂの外周先端は略Ｔ字形となり、巻線導体巻装用の開口部３をおいて相隣接し、その内側空間にスロット８を形成している。そして歯部鉄心１は両端面に絶縁材料７を被覆しており、この絶縁材料７は歯部鉄心１と同一平面形状で、回転子穴２の内周縁部にリング状の立上部７Ａと、外周先端部に歯部分を一つ置きに歯１Ａに当たる箇所に直立する棒状のガイド５を設けている。そして第１巻線４は９０°間隔を置いた歯１Ｂと歯１Ｂに内接するスロット８にまたがり巻装され、この第１巻線４と電気角９０°隔てた位置に第２巻線６が直巻巻装されている。そして巻線完了後の歯部鉄心１の外周には継鉄部鉄心９を圧入している。」（２頁左上欄１７行〜右上欄１３行）
　すなわち、引用例１には、毎極毎相のスロット数が２の固定子鉄心を、回転子孔の外周に略放射状に設けられた複数の歯を有し巻線を巻装する歯部鉄心と、磁路を形成する継鉄部鉄心に分割し、前記継鉄部鉄心はその一部が歯部鉄心のスロットの外周の開口部にはまりこみながら前記歯部鉄心の外周部に嵌合されてなる構成とし、前記歯部鉄心のスロットの内側に短節巻の第１巻線を直巻巻装し、この第１巻線と電気角で９０度隔てた位置に短節巻の第２巻線を前記スロットの外側に直巻巻装した固定子を有する内転型電動機の固定子鉄心が記載されていると認められる。
　同じく、取消理由通知において引用された、引用例２（特開昭５７−１８６９３６号公報）には、「アウタロータモータ」（発明の名称）が記載され、図面と共に以下の記載がある。
　「ステータコアは、ステータコアの中心より放射上に設けた歯部と非放射上に設けた歯部とを組合わせるようにしたものであるアウターロータモータ。・・・ステータコアは、その外側巻線が入るスロットを内側巻線が入るスロットより面積を小さくしたものであるアウターロータモータ。・・・ステータコアは、その内側巻線が入るスロットの底部を巻線の内側に拡げたものであるアウターロータモータ。・・・ステータコアは、その外側巻線が入るスロットの上部を巻線の内側に拡げたものであるアウターロータモータ。」（特許請求の範囲）、
　「第５図で、７Ａはステータコア、１０Ａはスロット上部、１１Ａはスロット底部、１２はスロットＡ、１３はスロットＢ、１４は歯部（歯巾Ｓ）である。すなわち、さきの第３図で述べたスロット面積として、スロット上部１０、スロット底部１１の空間が使用されていないことに対処して、第５図の実線部に示すような形状のステータコア７Ａとするものである。このような第５図に示すがごとき実線部のようなスロット形状にすると、当該スロットが有効に活用されることが分る。すなわち、内側巻線８用のスロットＡ１２については、スロット底部１１Ａのように拡げ、外側巻線９用のスロットＢ１３については、スロット上部１０Ａのように拡げることにより、巻線占有率を約１０％アップすることができるものである。」（２頁右下欄１行〜１７行）、
　「第７図は、上記に沿うものにおいて外側巻線が入るスロットを、外側巻線が入るスロットを、内側巻線が入るスロットより面積を小さくしたステータコア７Ａ−２に、従来の内側巻線８、外側巻線９ではなく、その形状になじむ実際の巻線を施した、本発明のアウターロータモータにおけるステータ１に係る実施例を示すものである。図で、８’は内側巻線、９’は外側巻線である。この実施例に係る図示構成のものでは、図示のように、内側巻線８’については、巻線の周長が短くなり、平均長で巻線長さを算出すると従来のものに比し約１０％短くなることが分った。・・・そして、第８図に示すものは、上記の第７図で説明したところに沿う、その実施例に係るステータコアであって、７Ａ−２は、前記のごとくステータコア、１４、１４’は歯部、１７は、さきの内側巻線８’のスロット底部１１Ｂに接する外接円、１８は、同様に外側巻線９’のスロット底部１１Ｃに接する外接円である。すなわち、内側巻線８’に挟まれるべき歯部１４は、ステータコア７Ａ−２の中心線からの放射線上にあり、また外側巻線９’に挟まれるべき歯部１４’は、同上中心線からの非放射線上に配置したものである。また、内側巻線８’のスロット底部１１Ｂに接する外接円１７は、外側巻線９’のスロット底部１１Ｃに接する外接円１８よりも小さく形成したものである。本実施例に係るようなステータコアの形状とすることにより、さきの実施例に係るものと同様に、作業性が良好で、性能すぐれたアウタロータモータの提供が可能なものである。」（３頁右上欄１６行〜右下欄９行）
　
５．比較・検討
　訂正明細書の請求項１に係る発明と引用例１とを比較すると、引用例１の「第１巻線」及び「第２巻線」は、訂正明細書の請求項１に係る発明の「Ａ相巻線」及び「Ｂ相巻線」にそれぞれ相当するから、訂正明細書の請求項１に係る発明と引用例１とは、毎極毎相のスロット数が２の固定子鉄心を、回転子孔の外周に略放射状に設けられた複数の歯を有し巻線を巻装する歯部鉄心と、磁路を形成する継鉄部鉄心に分割し、前記継鉄部鉄心はその一部が歯部鉄心のスロットの外周の開口部にはまりこみながら前記歯部鉄心の外周部に嵌合されてなる構成とし、前記歯部鉄心のスロットの内側に短節巻のＡ相巻線を直巻巻装し、このＡ相巻線と電気角で９０度隔てた位置に短節巻のＢ相巻線を前記スロットの外側に直巻巻装した固定子を有する内転型電動機の固定子鉄心である点で一致し、訂正明細書の請求項１に係る発明は、各極のＡ相巻線が囲繞する３個の内両端の２個の歯はＳ字状または逆Ｓ字状に設け、このＳ字状または逆Ｓ字状の歯は中央の歯に対し略直角方向に向く部分を有し、この直角方向に向く部分の延長線は前記中央の歯の径方向中心点よりも内側でこの中央の歯と交叉するため、Ａ相巻線巻装用スロット全体に巻線を巻装してもＢ相巻線巻装用スロットのごく一部しか閉塞せず大部分は巻線スペースとして残すことができるように設定されているのに対し、引用例１にはこの構成については明示されていない点で相違が認められる。
　ここで、本件訂正明細書に、「本発明は上記課題を解決するもので、先に巻装するＡ相巻線のコイルエンド部がＢ相巻線収納用のスロットスペースを閉塞するのを少なく抑え巻線の収納可能なスペースを大巾に拡大し、各相各極の磁路の長さを同等に設定することにより、各相各極の起磁力の均一化を図った電動機の固定子鉄心を提供することを第一の目的とする。そして、第二の目的はＢ相巻線の収納可能なスロットスべ−スを拡大するとともにＡ相巻線、Ｂ相巻線を励磁することにより発生した磁力性の通る磁路の長さの増大を最小限に抑え、モ-タ効率の低下を少なくする電動機の固定子鉄心を提供することを目的とするものである。」（３頁２行〜１０行）と記載されているように、本件訂正明細書の特許請求の範囲に記載された発明の目的は、固定子鉄心において、巻線の収納可能なスペースを大巾に拡大すること、及び、Ｂ相巻線の収納可能なスロットスべ−スを拡大することであると認められる。
　一方、固定子の巻線を収容するスロットを有効活用するために、各極の巻線が囲繞する歯が３個であり、各極の内側巻線（Ａ相巻線）が囲繞する３個の内両端の２個の歯はＳ字状または逆Ｓ字状に設け、このＳ字状または逆Ｓ字状の歯は中央の歯に対し所定の方向に向く部分を有し、この所定の方向に向く部分の延長線は前記中央の歯の径方向中心点よりも内側でこの中央の歯の内周方向への延長線と鋭角に交叉するため、内側巻線（Ａ相巻線）巻装用スロット全体に巻線を巻装しても外側巻線（Ｂ相巻線）巻装用スロットのごく一部しか閉塞せず大部分は巻線スペースとして残すことができるように設定されたものは、引用例２の特に第５、７図に開示されている。
　そして、上記Ｓ字状または逆Ｓ字状の歯の形状において、Ｓ字状または逆Ｓ字状の歯の中央部分をどの程度、どの方向に屈曲させて、どのような形状のスロットを形成するかは、当該歯の長さや歯の幅、巻装しようとする巻線の量などに応じて、適宜決定する設計的事項にすぎないものである。
　したがって、引用例１の固定子鉄心において、引用例２の記載に基づいて、本件訂正明細書の請求項１の発明のように、各極のＡ相巻線が囲繞する３個の内両端の２個の歯はＳ字状または逆Ｓ字状に設け、このＳ字状または逆Ｓ字状の歯は中央の歯に対し略直角方向に向く部分を有し、この直角方向に向く部分の延長線は前記中央の歯の径方向中心点よりも内側でこの中央の歯と交叉するため、Ａ相巻線巻装用スロット全体に巻線を巻装してもＢ相巻線巻装用スロットのごく一部しか閉塞せず大部分は巻線スペースとして残すことができるように設定するようにすることは、当業者が容易に想到し得たことと認められる。
　次に、訂正明細書の請求項２に係る発明と引用例１とを比較すると、引用例１の「第１巻線」及び「第２巻線」は、訂正明細書の請求項２に係る発明の「Ａ相巻線」及び「Ｂ相巻線」にそれぞれ相当するから、訂正明細書の請求項２に係る発明と引用例１とは、毎極毎相のスロット数が２の固定子鉄心を、回転子孔の外周に略放射線状に設けられた複数の歯を有し巻線を巻装する歯部鉄心と、磁路を形成する継鉄部鉄心に分割し、前記継鉄部鉄心はその一部が歯部鉄心のスロット開□部にはまりこみながら前記歯部鉄心の外周部に嵌合されてなる構成とし、前記歯部鉄心のスロットの内側に短節巻のＡ相巻線を直巻巻装し、このＡ相巻線と電気角で９０度隔てた位置に短節巻のＢ相巻線を前記スロットの外側に直巻巻装した固定子を有する内転型電動機の固定子鉄心である点で一致し、訂正明細書の請求項２に係る発明は、各極のＡ相巻線が囲繞する３個の歯のうち両端の２個の歯はＳ字状または逆Ｓ字状に設け、このＳ字状または逆Ｓ字状の歯は中央の歯の内周方向への延長線に対して鋭角に交叉する直線部分を有し、前記直線部分を、その中心線の延長線が交叉する点が回転子孔の円中心よりも大きく近位置にくる方向に傾斜させることにより、Ａ相巻線収納用スロットは歯部鉄心の内周側が拡大されＢ相巻線収納用スロットは外周側が拡大されて、Ａ相巻線巻装用スロットに巻線を巻装してもＢ相巻線巻装用スロットの一部しか閉塞せず巻線可能スペースを残すことができるように設定しているのに対し、引用例１にはこの構成については明示されていない点で相違が認められる。
　ここで、上述したように、本件訂正明細書の特許請求の範囲に記載された発明の目的は、固定子鉄心において、巻線の収納可能なスペースを大巾に拡大すること、及び、Ｂ相巻線の収納可能なスロットスべ−スを拡大することであると認められる。
　一方、上述したように、固定子の巻線を収容するスロットを有効活用するために、各極の巻線が囲繞する歯が３個であり、各極の内側巻線（Ａ相巻線）が囲繞する３個の内両端の２個の歯はＳ字状または逆Ｓ字状に設け、このＳ字状または逆Ｓ字状の歯は中央の歯に対し所定の方向に向く部分を有し、この所定の方向に向く部分の延長線は前記中央の歯の径方向中心点よりも内側でこの中央の歯の内周方向への延長線と鋭角に交叉するため、内側巻線（Ａ相巻線）巻装用スロット全体に巻線を巻装しても外側巻線（Ｂ相巻線）巻装用スロットのごく一部しか閉塞せず大部分は巻線スペースとして残すことができるように設定されたものは、引用例２の特に第５、７図に開示されている。
　そして、上述したように、上記Ｓ字状または逆Ｓ字状の歯の形状において、Ｓ字状または逆Ｓ字状の歯の中央部分をどの程度、どの方向に屈曲させて、どのような形状のスロットを形成するかは、当該歯の長さや歯の幅、巻装しようとする巻線の量などに応じて、適宜決定する設計的事項にすぎないものである。
　さらに、Ａ相巻線は内周側に巻装される巻線であり、Ｂ相巻線は外周側に巻装される巻線であるから、スロットを有効活用しようすれば、Ａ相巻線収納用スロットは歯部鉄心の内周側が拡大されＢ相巻線収納用スロットは外周側が拡大されるようにするのは、当然なことと認められる。
　したがって、引用例１の固定子鉄心において、引用例２の記載に基づいて、本件訂正明細書の請求項２の発明のように、各極のＡ相巻線が囲繞する３個の歯のうち両端の２個の歯はＳ字状または逆Ｓ字状に設け、このＳ字状または逆Ｓ字状の歯は中央の歯の内周方向への延長線に対して鋭角に交叉する直線部分を有し、前記直線部分を、その中心線の延長線が交叉する点が回転子孔の円中心よりも大きく近位置にくる方向に傾斜させることにより、Ａ相巻線収納用スロットは歯部鉄心の内周側が拡大されＢ相巻線収納用スロットは外周側が拡大されて、Ａ相巻線巻装用スロットに巻線を巻装してもＢ相巻線巻装用スロットの一部しか閉塞せず巻線可能スペースを残すことができるように設定するようにすることは、当業者が容易に想到し得たことと認められる。
　よって、本件訂正明細書の請求項１及び２に係る発明は、引用例１、２に基づいて、当業者が容易に発明できたものであると認められるから、特許法第２９条２項の規定により、特許を受けることができないものである。
　
６．むすび
　以上のとおりであるから、本件訂正明細書の請求項１及び２に係る発明についての特許は拒絶の査定をしなければならない特許出願に対してされたものと認める。
　よって、平成６年改正法附則第１４条の規定に基づく、特許法等の一部を改正する法律の施行に伴う経過措置を定める政令（平成７年政令第２０５号）第４条第２項の規定により、本件発明についての特許は、特許法第１１３条第２号に該当し、取り消されるべきものである。
　よって、結論のとおり決定する。
【異議決定日】
平成１２年１１月１７日（２０００．１１．１７）
【訂正の要旨】
訂正の要旨
　（ｉ）訂正事項ａ
　請求項１において、「このＡ相巻線と電気角で９０度隔てた位置に短節巻を前記スロットの外側に直巻巻装した」を、「このＡ相巻線と電気角で９０度隔てた位置に短節巻のＢ相巻線を前記スロットの外側に直巻巻装した」と訂正する。
　（ｉｉ）訂正事項ｂ
　請求項２において、「前記直線部分を、その中心線の延長線が交叉する点が回転子孔の円中心よりも大きく近位置にくる方向に傾斜させることにより、」を、「前記直線部分を、その中心線の延長線が交叉する点が回転子孔の円中心該よりも大きく近位置にくる方向に傾斜させることにより、Ａ相巻線収納用スロットは歯部鉄心の内周側が拡大されＢ相巻線収納用スロットは外周側が拡大されて、」と訂正する。
（５４）【発明の名称】
電動機の固定子鉄心
（５７）【特許請求の範囲】
　【請求項１】　毎極毎相のスロット数が２の固定子鉄心を、回転子孔の外周に略放射状に設けられた複数の歯を有し巻線を巻装する歯部鉄心と、磁路を形成する継鉄部鉄心に分割し、前記継鉄部鉄心はその一部が歯部鉄心のスロットの外周の開口部にはまりこみながら前記歯部鉄心の外周部に嵌合されてなる構成とし、前記歯部鉄心のスロットの内側に短節巻のＡ相巻線を直巻巻装し、このＡ相巻線と電気角で９０度隔てた位置に短節巻
のＢ相巻線
　【請求項２】　毎極毎相のスロット数が２の固定子鉄心を、回転子孔の外周に略放射線状に設けられた複数の歯を有し巻線を巻装する歯部鉄心と、磁路を形成する継鉄部鉄心に分割し、前記継鉄部鉄心はその一部が歯部鉄心のスロット開口部にはまりこみながら前記歯部鉄心の外周部に嵌合されてなる構成とし、前記歯部鉄心のスロットの内側に短節巻のＡ相巻線を直巻巻装し、このＡ相巻線と電気角で９０度隔てた位置に短節巻のＢ相巻線を前記スロットの外側に直巻巻装した固定子を有する内転型電動機において、各極のＡ相巻線が囲繞する３個の歯のうち両端の２個の歯はＳ字状または逆Ｓ字状に設け、このＳ字状または逆Ｓ字状の歯は中央の歯の内周方向への延長線に対して鋭角に交叉する直線部分を有し、前記直線部分を、その中心線の延長線が交叉する点が回転子孔の円中心よりも大きく近位置にくる方向に傾斜させることにより、
Ａ相巻線収納用スロットは歯部鉄心の内周側が拡大されＢ相巻線収納用スロットは外周側が拡大されて、
【発明の詳細な説明】
　【発明の属する技術分野】
　本発明は、家電製品のファン駆動用に使用される電動機の固定子鉄心に関するものである。
　【従来の技術】
　近年、人件費の高騰から電動機製造工程の自動化が急激に進展しており、電動機も自動化対応の容易な構造が求められている。
　従来、この種の電動機の固定子鉄心は一般に第７図および第８図に示すような構成であった。すなわち巻線巻装を容易にするための方法として歯部鉄心１１０は回転子（図示せず）が入る回転子孔１１１の外方へ放射状に複数の歯１１２を配置し、それぞれの歯１１２は橋絡部１１３で回転子孔１１１の外周に連結されており、歯１１２との間は巻線１１４が巻装され収納される空間となるスロット１１５を形成している。前記歯１１２の外周には側方に突出する突出部１１６と隣接の突部１１６との間はスロット１１５に巻線１１４を巻装するための開口部１１７を形成している。そして、環状の継鉄部鉄心１１８の内周側に凸部１１９を設け、巻線１１４を開口部１１７よりスロット１１５に巻装、収納したあと前記の凸部１１９を前記開口部１１７に圧入嵌合し、固定子として構成していた。
　【発明が解決しようとする課題】
　このような従来の構成では、歯部鉄心１１０外側の開口部１１７から極数個のＡ相巻線１１４ＡおよびＢ相巻線１１４Ｂをそれぞれ順に直巻巻装する際、先に巻装されスロット１１５Ａに収納されたＡ相巻線１１４Ａのコイルエンド部は、Ｂ相巻線１１４Ｂの収納されるスロット１１５Ｂの内周側の一部を閉塞して有効スロットスペースを減じ巻線可能なＢ相巻線１１４Ｂの巻線量を減じてしまうという課題があった。
　本発明は、上記課題を解決するもので、先に巻装するＡ相巻線のコイルエンド部がＢ相巻線収納用のスロットスペースを閉塞するのを少なく抑え巻線の収納可能なスペースを大巾に拡大し、各相各極の磁路の長さを同等に設定することにより、各相各極の起磁力の均一化を図った電動機の固定子鉄心を提供することを第一の目的とする。そして、第二の目的はＢ相巻線の収納可能なスロットスペースを拡大するとともにＡ相巻線、Ｂ相巻線を励磁することにより発生した磁力性の通る磁路の長さの増大を最小限に抑え、モータ効率の低下を少なくする電動機の固定子鉄心を提供することを目的とするものである。
　【課題を解決するための手段】
　本発明は上記第一の目的を達成するために第一の手段は毎極毎相のスロット数が２の固定子鉄心を、回転子孔の外周に略放射状に設けられた複数の歯を有し巻線を巻装する歯部鉄心と、磁路を形成する継鉄部鉄心に分割し、前記継鉄部鉄心はその一部が歯部鉄心のスロットの外周の開口部にはまりこみながら前記歯部鉄心の外周部に嵌合されてなる構成とし、前記歯部鉄心のスロットの内側に短節巻のＡ相巻線を直巻巻装し、このＡ相巻線と電気角で９０度隔てた位置に短節巻のＢ相巻線を前記スロットの外側に直巻巻装した固定子を有する内転型電動機において、各極のＡ相巻線が囲繞する３個の内両端の２個の歯はＳ字状または逆Ｓ字状に設け、このＳ字状または逆Ｓ字状の歯は中央の歯に対し略直角方向に向く部分を有し、この直角方向に向く部分の延長線は前記中央の歯の径方向中心点よりも内側でこの中央の歯と交叉するためＡ相巻線巻装用スロット全体に巻線を巻装してもＢ相巻線巻装用スロットのごく一部しか閉塞せず大部分は巻線可能スペースとして残すことができるように設定された電動機の固定子鉄心の構成としたものである。
　また、第二の目的を達成するための第二の手段は、毎極毎相のスロット数が２の固定子鉄心を、回転子孔の外周に略放射状に設けられた複数の歯を有し巻線を巻装する歯部鉄心と、磁路を形成する継鉄部鉄心に分割し、前記継鉄部鉄心はその一部が歯部鉄心のスロットの外周の開口部にはまりこみながら前記歯部鉄心の外周部に嵌合されてなる構成とし、前記歯部鉄心のスロットの内側に短節巻のＡ相巻線を直巻巻装し、このＡ相巻線と電気角で９０度隔てた位置に短節巻のＢ相巻線を前記スロットの外側に直巻巻装した固定子を有する内転型電動機において、各極のＡ相巻線が囲繞する３個の歯のうち両端の２個の歯はＳ字状または逆Ｓ字状に設け、このＳ字状または逆Ｓ字状の歯は中央の歯の内周方向への延長線に対して鋭角に交叉する直線部分を有し、前記直線部分を、その中心線の延長線が交叉する点が回転子孔の円中心よりも大きく近位置にくる方向に傾斜させることにより、Ａ相巻線巻装用スロットに巻線を巻装してもＢ相巻線巻装用スロットの一部しか閉塞せず巻線可能スペースを残すことができるように設定した構成の電動機の固定子鉄心の構成としたものである。
　【発明の実施の形態】
　本発明は上記した第一の手段の構成により、製造工程において先に直巻巻装するＡ相巻線は、歯部鉄心の内周側に偏って巻装され、後に直巻巻装するＢ相巻線は歯部鉄心の外周側に偏って巻装され、Ｂ相巻線が囲繞する両端のＳ字型及び逆Ｓ字型を成す２つの歯に設けた折曲部の位置は、Ａ相巻線の囲繞する両端の歯の折曲部どうしを結ぶ直線が、中央の歯において歯部鉄心の外周と内周とを半径方向に結ぶ直線に対しその中心点より内側で直交するように設定されているので、Ａ相巻線を収納限度量までいっぱいに巻装しても、このコイルエンド部がＢ相巻線用のスロットを閉塞する量はごくわずかなものとなる。そして、全スロットの深さを等しく設定したため各相各極のそれぞれの磁路の長さはすべて同等に構成されることとなる。また、第２の手段の構成により、Ａ相巻線、Ｂ相巻線の囲繞する複数の歯のうち両端の２つの歯が直線状で、前記２つの歯のセンター線の交点が回転子孔の円中心よりも近位置にくる方向に傾斜して設けられることにより、Ａ相巻線収納用スロットは歯部鉄心の内周側が拡大されＢ相巻線収納用スロットは外周側が拡大されることになり、実際に巻線を収納することのできるスロット面積、特に後から巻装されるＢ相巻線が収納されるスロットの有効面積の減少が防止されるとともに、前記傾斜して設けられる歯は直線状であるため巻線に電流を流し発生した磁束が通る磁路長の増大は最小限に抑えられることになる。
　【実施例】
　以下、本発明の第１実施例について第１図〜第４図を参照しながら説明する。
　図に示すように、複数個の歯３をほぼ放射状に配置し、これらの歯３の内周縁部を円形状に連結した橋絡部４により回転子孔２を形成するとともに、隣どうしの歯３間に巻線が収納される空間となるスロット７を設け、外周縁部にスロット７に巻線を直巻するための開口部８を設けた鉄心板５を、複数枚積層して歯部鉄心１を形成している。そして歯部鉄心１は、内周面にリング状の立ち上げ部を有する絶縁材料６によりインサート成型されて、絶縁処理されるとともに、強固に一体保持されている。また、開口部８から直巻されスロット７の内周側に巻装されるＡ相巻線９Ａに囲繞される３本の歯のうち両端の２本の歯３、３は、外周縁部近傍に折曲部３ａを有しており、この折曲部３ａは、歯３、３を内周側で互いに近づける方向に折曲するものであり、その位置は、折曲部３ａ、３ａどうしを結ぶ直線が、この２本の歯３、３間の中心部に位置する歯３′に対し、この３′の半径方向の中心点Ｏより下方で直交するように設定されている。そして、Ａ相巻線９Ａ巻装ののちに、このＡ相巻線と電気角９０°隔てた位置のスロット７の外周側にＢ相巻線９Ｂを巻装し、その後に、歯部鉄心１の外周に環状の継鉄部鉄心１０を圧入して、固定子鉄心を構成している。
　上記構成の固定子鉄心は、製造工程において、まずＡ相巻線９Ａが先に開口部８から直巻巻装され、歯３、３及び３′を囲繞してＡ相巻線収納用スロット７Ａに収納されるが、歯３、３が内周側で互いに近づく方向で折曲されているために、Ａ相巻線９Ａは内周面に偏って収納される。つぎにＢ相巻線９ＢをＢ相巻線収納用スロット７Ｂに巻装するが、歯３、３は外周側では互いに遠ざかる形状となっている、すなわちＢ相巻線９Ｂが囲繞する歯３、３についてみれば、外周部で互いに近づく形状となるので、Ｂ相巻線９Ｂは外周側に偏って収納される。
　このように、Ａ相巻線９ＡとＢ相巻線９Ｂとには、直巻巻装するとき、互いに分離する方向に力が作用するので、Ａ相巻線９Ａのコイルエンド部がＢ相巻線９Ｂ巻装の障害になることはなく、巻線の作業性が向上する。
　さらに、Ａ相巻線９Ａの囲繞する歯３、３に形成された折曲部３ａ，３ａの位置は、折曲部３ａ、３ａどうしを結ぶ直線が、これらの歯３、３間の中心部に位置する歯３′に対し、この歯３′の半径方向の中心点より内側で直交するように設定されているので、Ａ相巻線９ＡをＡ相巻線収納用スロット７Ａに収納できる限度いっぱいに巻装する、すなわち折曲部３ａの位置まで巻装しても、このＡ相巻線９Ａのコイルエンド部が閉塞するＢ相巻線収納用スロット７Ｂの面積は、第３図に示すようにごくわずかなものであり、Ｂ相巻線９Ｂの巻線収納可能なスペースも大巾に拡大することになる。
　そして歯３、３には第１図に示すように外周縁部近傍の３ａと内周側近傍の折曲部３ｂが設けられており、全てのスロット７の深さは等しく設定されることになり、各相各極の巻線に電流を流し発生した磁束が通る磁路の長さはほぼ同等に構成されることとなる。
　なお、歯３、３に設ける折曲部３ａは、外周縁だけでなく、第１図に示すように内周側近傍にも折曲部３ｂを設けてよく、この場合には巻線相互の分離性および巻線収納スペースの拡大において、さらに貢献することとなる。
　つぎに本発明の第２実施例を第５図及び第６図を参照しながら説明する。なお第１実施例と同一箇所には同一記号を設けて詳細な説明は省略する。図に示すように、歯部鉄心１は前記第１の手段による実施例と同等の構成であるが、Ａ相巻線９Ａ（またはＢ相巻線９Ｂ）の囲縛する歯３のうち両端の２つの歯３が、前記２つの歯３の中心線の交点がＯ′が回転子孔２の中心Ｏよりも近位置に来る方向に傾斜したことのみ異なる構成となるものである。
　上記構成においては、前記第１の手段の実施例と同じく、先に巻装されるＡ相巻線９ＡはＡ相巻線収納用スロット７Ａの内周側に偏って収納されそのコイルエンド部はＢ相巻線収納用スロット７Ｂの内周側の一部を閉塞し、Ｂ相巻線収納用スロット７Ｂは外周側程面積が拡大されるため、Ｂ相巻線９Ｂは、外周側に偏って収納される。また、Ａ相巻線９ＡまたはＢ相巻線９Ｂの囲繞する歯３のうち両端の２つの歯３が直線状であるため、巻線に電流を流し発生した磁束が通る磁路の長さの増大は最小限に抑えられる。
　なお、実施例では第１図に示すように、巻線が巻装される歯数を３本としたが、その数に限定されるものではなく、もっと多い歯数でもよく、その全てにおいて作用効果が認められる。
　また、実施例では４極１６スロットの固定子鉄心に短節巻の巻線を施したものを用い、各鉄心板の内周縁部にすべて橋絡部を有する構成としたが、いかなる極数、スロット数、橋絡部個数でも適用可能で、その全てにおいて作用効果が認められる。
　【発明の効果】
　以上の実施例から明らかなように本発明によれば、先に直巻巻装するＡ相巻線はＡ相巻線収納用スロットの内周側に、また後から直巻巻装されるＢ相巻線はＢ相巻線収納用スロットの外周側に、それぞれ収納され、Ａ相巻線のコイルエンド部がＢ相巻線巻装の障害になることがなくなり、電動機製造の巻線工程における作業効率の向上が図れる。
　さらに、Ａ相巻線をＡ相巻線収納用スロットに収納できる限度いっぱいに巻装しても、Ａ相巻線のコイルエンド部が閉塞するＢ相巻線収納用スロットの面積はごくわずかなものであり、Ｂ相巻線もＢ相巻線収納用スロットに収納できる限度まで巻装することができ、電動機の性能を大幅に向上させることが可能となる。
　さらに、Ａ相巻線、Ｂ相巻線収納用の全スロットの深さを等しく構成したため、各相各極の磁路の長さがほぼ同等となり、各相の各極巻線による起磁力が均一化され、異常な振動等の発生が防止される電動機の固定子鉄心が提供できる。
　また、巻線の囲繞する歯のうち両端の２つの歯が直線状で、前記２つの歯の中心線の交点が回転子孔の円中心よりも近位置にくる方向に傾斜して設けてあるので、先に直巻巻装するＡ相巻線はＡ相巻線収納用スロットの内周側に、後から直巻巻装されるＢ相巻線Ｂ相巻線収納用スロットの外周側に収納され、Ａ相巻線のコイルエンド部がＢ相巻線巻装の障害になることはすくなく、同時に磁束の通路の増大も最小限に抑えられ電動機のモータ効率の低下を最小限に抑える電動機の固定子鉄心が提供できる。
【図面の簡単な説明】
　第１図は本発明の第１実施例の固定子鉄心の歯部鉄心の平面図、第２図は同固定子鉄心の一部断面とした平面図、第３図は同Ａ相巻線（１コイル）巻装後の歯部鉄心の平面図、第４図は同固定子鉄心の半断面側面図、第５図は本発明の第２実施例の固定子鉄心の歯部鉄心の平面図、第６図は同固定子鉄心に巻線の一部を施した状態を示す平面図、第７図は従来の電動機の固定子鉄心の一部断面と歯部鉄心の平面図、第８図は同固定子鉄心の巻線（４コイル）巻装後の一部断面とした平面図である。
　１・・・・歯部鉄心、２・・・・回転子孔、３、３′・・・・歯、３ａ・・・・折曲部、７・・・・スロット、７Ａ・・・・Ａ相巻線収納用スロット、７Ｂ・・・・Ｂ相巻線収納用スロット、８・・・・開口部、９Ａ・・・・Ａ相巻線、９Ｂ・・・・Ｂ相巻線、１０・・・・継鉄部鉄心、Ｏ・・・・中心点